(57)【要約】      （修正有）【課題】剃り残しが少ない電気かみそり。【解決手段】別体吸引装置７より電気かみそりの外刃へ負圧を与える。肌と外刃が固着せずに一定の吸着力を保つように、外刃の外周には外壁を設けず、外刃面の位置を電気かみそりの本体より０．５ミリ程度高くする。それでも肌が外刃全体を完全に覆ってしまった際に、負圧が高まり過ぎた場合のみ作動する圧力調整弁を負圧伝達経路に設ける。また、別体吸引装置から外刃内部へ負圧を伝達させるため、電気かみそり従来の構成部品に、機能として必要な部位を除く範囲へ肉抜きを行う。新たに追加する要素は、モーターホルダーの外刃側から電気かみそりの本体ケース外部へ、負圧を確保しつつ剃った体毛のカスを通す内部伝達管を設けるのみとなる。【選択図】図１
2014200552.tif 000002
【特許請求の範囲】
【請求項１】
電動かみそりに空気の負圧を利用し肌への密着性を得る装置において、電気かみそり内部の負圧が高まり過ぎた際に、負圧の調整する弁を持たせ、肌と外刃が固着することを防止する構造。  
【請求項２】
電動かみそりに空気の負圧を利用し肌への密着性を得る装置において、電気かみそり内部に負圧を伝達させるため、従来の構成部品に機能として必要な部位を除く範囲へ肉抜きを行い、空気の流動経路を確保する構造。  
【発明の詳細な説明】
【技術分野】
【０００１】
本発明は剃り残しが少ない電気かみそりに関するものである    
【先行技術文献】
【特許文献】
【０００２】
【特許文献１】特開２００９−７２４４８
【特許文献２】特開２００１−２１８９８７
【特許文献３】特開２００１−１９０８６８
【発明の概要】
【発明が解決しようとする課題】
【０００３】
従来の電気かみそりでは、外刃に肌を押し付けることにより密着させていたため、身体の凹凸によって外刃が部分的に肌と密着し、体毛の剃り残しが発生している。また、剃りこみ深さも肌へ押し付ける強さにより安定しない。非特許文献にみられるように、電気かみそりの内部より空気の負圧によって肌を吸い込み、外刃に肌を密着させることで確実に剃り残した体毛を捉えると同時に、剃った体毛のカスを集塵する効果を狙った案は、幾つか発案されている。
【０００４】
しかし従来の電気かみそりをそのまま使用し十分な吸い付け効果を得るためには、非常に強い吸い込み力が必要となる。それを補うために、負圧を保持する目的で外刃を囲むカップホルダーや、外刃より高い位置に外壁を設置する手法も考案されているが、肌が外壁に引っ掛かることでしわが発生し、均等な深剃り効果を得ることが出来ない。
【０００５】
また、負圧を発生させる装置から外刃内部へ負圧を伝達させるには、十分な流動面積を持った経路が必要となるが、既に必要な部品が配置されている電気かみそりの内部に、負圧の伝達経路を確保することは困難なため、新たに従来部品の外側に経路を配置することで、電気かみそりの製品外形が大きくなってしまう。
【課題を解決するための手段】
【０００６】
外形が直径４０ミリ以下の外刃を、１個または数個備えた電気かみそりへ、別体吸引装置より個々の外刃へ負圧を与える。外刃面は肌が吸いつきやすく、しかも滑らせ易くするため、５０ミリ以上の半径を持った球面、もしくは平面に近く、外周部には肌の引っ掛かりを防止するために、テーパーを備えていることが望ましい。この事によって小型の外刃へ与えるべき負圧は小さくなり、肌は均等な負圧によって外刃へ吸引され外刃の形状に合わせて密着する。
【０００７】
そして、肌と外刃が固着せずに一定の吸着力を保つように、外刃の外周部には外壁を設けず、外刃面の位置を電気かみそりの本体より０．５ミリ程度高くする。それでも肌が外刃全体を完全に覆ってしまった際に、肌が外刃に固着することを防ぐため、負圧が高まり過ぎた場合のみ作動する圧力調整弁を負圧伝達経路に設ける。これにより、剃りにくかった産毛やくせ毛が均等な吸着力によって効率よく剃れ、且つ外刃が肌に固着することなく、電気かみそりをスムーズに移動させることが出来る。
【０００８】
また、別体吸引装置から外刃内部へ負圧を伝達させるため、電気かみそり従来の構成部品に、機能として必要な部位を除く範囲へ肉抜きを行う。新たに追加する要素は、モーターホルダーの外刃側から電気かみそりの本体ケース外部へ、負圧を確保しつつ剃った体毛のカスを通す、内部伝達管を設けるのみとなる。この内部伝達管はモーターホルダーへ肉抜きを行った部分にのみ追加するため、他の従来部品と干渉せずに電気かみそり内部に配置することが可能であるため、電気かみそりの外形を大きくする必要がない。
【発明を実施するための形態】
【実施例】
【０００９】
以下、図面を参照して本発明の好ましい実施形態について詳細に説明する。
図１は外刃を１個備えた回転式の電気かみそりへ本発明を実施した外観の斜視図である。
図２は図１の電気かみそり本体のみを分解した斜視図である。
図３は外部負圧の伝達管接続部に配置された、負圧調整弁が閉じた状態の斜視図である。図４は外部負圧の伝達管接続部に配置された、負圧調整弁が開いた状態の斜視図である。
図５は本体下ケース、モーター、およびモーターホルダーの斜視図である。
図６はモーターホルダーおよび内刃ホルダーの斜視図である。
【００１０】
図１に示されているように、外刃１はモーターホルダー２に固定され、内刃ホルダー３はモーター４を介してモーターホルダーに固定されている。モーターホルダーは本体上ケース５に固定され、本体上ケース５は、本体下ケース６に固定されている。本体下ケース６は別体吸引装置７と繋がった負圧伝達管８と連結している。
【００１１】
図２に示されているように、モーターホルダー２、内刃ホルダー３、本体下ケース６には、機能として必要な部位を除く範囲へ、負圧を伝達させるための肉抜きが施されている。更にモーターホルダー２には負圧を直接本体の外部へ伝えるための負圧伝達管８を設け、本体下ケース６には、負圧伝達管８との接続部と負圧調整弁９を設けられている。
【００１２】
別体吸引装置７から発生された空気の負圧は、負圧伝達管８、本体下ケース６の肉抜き穴、モーターホルダー２の内部伝達管、を経て外刃１の内側へ伝えられる。内刃ホルダー２は肉抜きを施されているため、作動時に回転をしつつ、十分な流動経路を確保し空気の流動を妨げることがない。
【００１３】
負圧調整弁９は、板ばね１０によって回転可能な状態で本体下ケース６に固定されている。負圧調整弁９は、板ばね１０の弾性力によって、負圧が一定値以下の状態では、図３に示すように負圧を確保するために閉じているので、負圧を無駄に失うことがない。肌が外刃１全体を完全に覆ってしまった際には負圧が一定値以上となり、図４に示すように、負圧調整弁９は過剰な負圧を開放する方向に、板ばね１０を弾性変形させて開くので、外刃が肌に固着することなくスムーズに移動させることが出来る。
【図面の簡単な説明】
【００１４】
【図１】本発明の好ましい実施形態である外刃を１個備えた回転式の電気かみそりへ本発明を実施した外観の斜視図である。
【図２】図１の電気かみそり本体のみを分解した斜視図である。
【図３】外部負圧の伝達管接続部に配置された、負圧調整弁が閉じた状態の斜視図である。
【図４】外部負圧の伝達管接続部に配置された、負圧調整弁が開いた状態の斜視図である。
【図５】本体下ケース、モーター、およびモーターホルダーの斜視図である。
【図６】モーターホルダーおよび内刃ホルダーの斜視図である。
【符号の説明】
【００１５】
１：    外刃
２：    モーターホルダー
３：    内刃ホルダー
４：    モーター
５：    本体上ケース
６：    本体下ケース
７：    別体吸引装置
８：    負圧伝達管
９：    負圧調整弁
１０：  板ばね  
１１：  負圧伝達管との接続部
１２：  内刃ホルダーの肉抜き部
１３：  モーターホルダーの内部伝達管
【図１】
2014200552.tif 000003
【図２】
2014200552.tif 000004
【図３】
2014200552.tif 000005
【図４】
2014200552.tif 000006
【図５】
2014200552.tif 000007
【図６】
2014200552.tif 000008